(57)【要約】【課題】ノズルキャップのノズル部の先端吐出口から、小さな押圧力や小さな衝撃によって、内容液が泡として飛び出すのを効果的に回避できるノズルキャップ付き容器を提供する。【解決手段】容器本体１１が首部１３ｂを胴部１３の縦方向中心軸Ｃに対して片側に傾けた、首曲がりボトル形状を備えており、胴部１３を押圧することで内容液を吐出させる容器本体１１の口首部１２に、ノズルキャップ１４が取り付けられたノズルキャップ付き容器１０であって、ノズルキャップ１４のノズル部１５は、胴部１３を押圧した際に内容液を先端吐出口１５ａから線状に連続吐出させる吐出ガイド流路１６を備えており、且つ吐出ガイド流路１６は、接続段差部１７ａを介して連続する、容器本体１１側の小径ガイド流路部１７ｂと、先端吐出口１５ａ側の大径ガイド流路部１７ｃとからなっている。【選択図】図２
2013180762.tif 000002
【特許請求の範囲】
【請求項１】
容器本体が首部を胴部の縦方向中心軸に対して片側に傾けた、首曲がりボトル形状を備えており、胴部を押圧することで内容液を吐出させる容器本体の口首部に、ノズルキャップが取り付けられたノズルキャップ付き容器であって、
前記ノズルキャップのノズル部は、前記胴部を押圧した際に内容液を先端吐出口から線状に連続吐出させる吐出ガイド流路を備えており、
且つ該吐出ガイド流路は、接続段差部を介して連続する、前記容器本体側の小径ガイド流路部と、先端吐出口側の大径ガイド流路部とからなるノズルキャップ付き容器。
【請求項２】
前記容器本体は、前記口首部を、前記胴部の縦方向中心軸に対して側方に偏心させた位置から、該偏心させた方向とは反対側に傾けて突出させた、前記首曲がりボトル形状を備えている請求項１記載のノズルキャップ付き容器。
【請求項３】
前記吐出ガイド流路は、１〜１０ｍｍの内径を備えると共に、１７〜６０ｍｍの流路長さを備えている請求項１又は２記載のノズルキャップ付き容器。
【請求項４】
前記小径ガイド流路部の内径と、前記大径ガイド流路部の内径との差は、１〜９ｍｍとなっている請求項１〜３のいずれか１項記載のノズルキャップ付き容器。
【請求項５】
前記接続段差部は、前記吐出ガイド流路の軸方向の高さが１７〜６０ｍｍの範囲で、平面形状又は曲面形状に形成されている請求項１〜４のいずれか１項記載のノズルキャップ付き容器。
【請求項６】
前記内容液は、界面活性剤を含み、粘度が１〜５００ｍＰａ・ｓである請求項１〜５のいずれか１項記載のノズルキャップ付き容器。
【発明の詳細な説明】
【技術分野】
【０００１】
本発明は、ノズルキャップ付き容器に関し、特に容器本体が首曲がりボトル形状を備えており、胴部を押圧することで内容液を吐出させる容器本体の口首部に、ノズルキャップが取り付けられたノズルキャップ付き容器に関する。
【背景技術】
【０００２】
容器本体の胴部を押圧することで内容液を吐出させる容器として、スクイズ容器が一般的に知られている。スクイズ容器では、内容液が収容された、例えば可撓性を有する合成樹脂製のボトル形状の容器本体を傾倒させると共に、容器本体の口首部に取り付けられたノズルキャップのノズル部の先端吐出口を吐出箇所に向けた状態で、容器本体の胴部を押圧することにより、内部の圧力を高めて、内容液を先端吐出口から線状に連続吐出させることが可能である（例えば、特許文献１参照）。
【０００３】
また、スクイズ容器のノズルキャップは、ノズル部に、相当の長を有する吐出ガイド流路を備えている。この吐出ガイド流路を通過させて内容液を先端吐出口から吐出させることにより、内容液を、吐出ガイド流路の延長方向に方向付けさせながら、安定した状態で線状に連続吐出させることが可能である。
【先行技術文献】
【特許文献】
【０００４】
【特許文献１】特開２００８−２４３３９
【発明の概要】
【発明が解決しようとする課題】
【０００５】
一方、容器本体の胴部を押圧することで内容液を吐出させるスクイズ容器では、容器本体の胴部が可撓性を有しているので、例えば容器の使用時に容器本体の押圧を解除した際のバックサンクションによって容器本体の内部で内容液が泡立っていると、例えば容器本体を把持し直す時の小さな押圧力や、容器本体を床面等に置く時の小さな衝撃によってでも、内容液が、吐出ガイド流路で膜を形成しながらノズル部の先端吐出口から泡として飛び出すことになって、周囲のものを汚す場合がある（図４（ａ）、（ｂ）参照）。
【０００６】
特に、内容液が例えばトイレ掃除用の液体洗剤である場合には、界面活性剤を含んでいるため泡立ちやすくなっていると共に、塩酸等の刺激物を含んでいることから、内容液が先端吐出口から泡として少量のみ飛び出したとしても、周囲にものに影響を与える場合がある。
【０００７】
また、容器本体の胴部を押圧することで内容液を吐出させるスクイズ容器では、容器本体の胴部が可撓性を有しているので、内容液を吐出させる際に、容器本体を傾倒させて収容された内容液が口首部に送られると、口首部の内側領域に送られて充填された内容液が、胴部を把持した手や指からの圧力を容器本体が受けることで、胴部を積極的に押圧していないスクイズ前の状態においても、不用意に且つ勢い良く、内容液がノズルキャップのノズル部の先端吐出口から吐出して、周囲のものを汚す場合がある。
【０００８】
特に、トイレ掃除用の液体洗剤が収容された容器本体が、例えば洋式便器の開口周縁部の内側張出し段差部に向けて、斜め下方から洗剤を吐出させ易い形状として、いわゆる首曲がりボトル形状を備えるスクイズ容器となっている場合には（図４（ａ）、（ｂ）参照）、容器本体を傾倒させながらノズルキャップのノズル部の先端吐出口を、洋式便器の内側張出し段差差部に向けてゆく操作の途中で、内容液が、不用意に且つ勢い良く先端吐出口から吐出して、洋式便器の外側に飛び出すことがある。なお、この飛び出しは、首部を胴部の縦方向中心軸に対して片側に傾けた首曲がりボトル形状において、特に問題になることがある。
【０００９】
本発明は、胴部を押圧することで内容液を吐出させる容器本体の口首部に取り付けられた、ノズルキャップのノズル部の先端吐出口から、小さな押圧力や小さな衝撃によって、内容液が泡として飛び出すのを効果的に回避できると共に、容器本体が首曲がりボトル形状を備えている場合でも、ノズルキャップのノズル部の先端吐出口から、胴部を積極的に押圧していないスクイズ前の状態で、内容液が、不用意に且つ勢い良く吐出するのを効果的に抑制できるノズルキャップ付き容器を提供することを目的とする。
【課題を解決するための手段】
【００１０】
本発明は、容器本体が首部を胴部の縦方向中心軸に対して片側に傾けた、首曲がりボトル形状を備えており、胴部を押圧することで内容液を吐出させる容器本体の口首部に、ノズルキャップが取り付けられたノズルキャップ付き容器であって、前記ノズルキャップのノズル部は、前記胴部を押圧した際に内容液を先端吐出口から線状に連続吐出させる吐出ガイド流路を備えており、且つ該吐出ガイド流路は、接続段差部を介して連続する、前記容器本体側の小径ガイド流路部と、先端吐出口側の大径ガイド流路部とからなるノズルキャップ付き容器を提供することにより、上記目的を達成したものである。
【発明の効果】
【００１１】
本発明のノズルキャップ付き容器によれば、胴部を押圧することで内容液を吐出させる容器本体の口首部に取り付けられた、ノズルキャップのノズル部の先端吐出口から、小さな押圧力や小さな衝撃によって、内容液が泡として飛び出すのを効果的に回避することができると共に、容器本体が首曲がりボトル形状を備えている場合でも、ノズルキャップのノズル部の先端吐出口から、胴部を積極的に押圧していないスクイズ前の状態で、内容液が、不用意に且つ勢い良く吐出するのを効果的に抑制することができる。
【図面の簡単な説明】
【００１２】
【図１】本発明の好ましい一実施形態に係るノズルキャップ付き容器の正面図である。
【図２】ノズルキャップが取り付けられた容器本体の口首部の断面図である。
【図３】ノズルキャップの断面図及びＡ部拡大図である。
【図４】（ａ）、（ｂ）は、容器本体を置いたり把持したりする際に、内容液が泡として飛び出す状況を説明する略示斜視図である。
【図５】（ａ）、（ｂ）は、接続段差部の他の形態を例示する拡大断面図である。
【発明を実施するための形態】
【００１３】
本発明の好ましい一実施形態に係るノズルキャップ付き容器１０は、図１に示すように、内容液として、例えばトイレ掃除用の液体洗剤を収容した合成樹脂製のボトル形状の容器本体１１と、この容器本体１１の口首部１２に一体として取り付けられたノズルキャップ１４とを含んで構成されている。また、本実施形態のノズルキャップ付き容器１０は、スクイズ容器として機能する容器本体１１の胴部１３が、表裏一対の正面壁部１３ａを、互いに近接させる方向に弾性変形可能な可撓性を備えている。胴部１３を把持して傾倒させた状態で、一対の正面壁部１３ａを挟み込むようにして押圧することで、容器本体１１をスクイズ変形させつつ内部に圧力を加えることによって、ノズルキャップ１４のノズル部１５の先端吐出口１５ａから、内容液を吐出できるようになっている。さらに、本実施形態のノズルキャップ付き容器１０は、例えば容器本体を床面等に置く時の小さな衝撃や（図４（ａ）参照）、容器本体１１を把持し直す時の小さな押圧力によって（図４（ｂ）参照）、内容液が、吐出流路で膜を形成しながらノズル部１５の先端吐出口１５ａから泡として飛び出して、周囲のものを汚すことになるのを、効果的に回避できるようにする機能を備える。さらにまた、本実施形態のノズルキャップ付き容器１０は、容器本体１１が首曲がりボトル形状を備えている場合でも、ノズルキャップ１４のノズル部１５の先端吐出口１５ａから、胴部１３を積極的に押圧していないスクイズ前の状態で、内容液が、不用意に且つ勢い良く吐出するのを抑制できるようにする機能を備える。
【００１４】
そして、本実施形態のノズルキャップ付き容器１０は、図１に示すように、容器本体１１が首部１３ｂを胴部１３の縦方向中心軸Ｃに対して片側に傾けた、首曲がりボトル形状を備えており、胴部１３を押圧することで内容液を吐出させる容器本体１１の口首部１２に、ノズルキャップ１４が取り付けられた、スクイズ変形可能な容器であって、ノズルキャップ１４のノズル部１５は、胴部１３を押圧した際に内容液を先端吐出口１５ａから線状に連続吐出させる吐出ガイド流路１６を備えており、且つ吐出ガイド流路１６は、接続段差部１７ａを介して連続する、容器本体１１側の小径ガイド流路部１７ｂと、先端吐出口１５ａ側の大径ガイド流路部１７ｃとからなっている。
【００１５】
また、本実施形態では、容器本体１１は、首部１３ｂを胴部１３の縦方向中心軸Ｃに対して片側に傾けて突出させた、首曲がりボトル形状を備えており、底部２３から首部１３ｂにかけて湾曲状の稜線部１３ｅを形成するようになっており、且つ胴部１３の縦方向中心軸Ｃに対して、首曲がり側、もしくは反首曲がり側を把持して使用することでボトル内の内容液が、湾曲状の稜線部１３ｅの形状に沿って流動することによりノズル部１５に勢いを持って接触するようになっている。
【００１６】
さらに、本実施形態では、吐出ガイド流路１６は、１〜１０ｍｍの内径を備えると共に、１７〜６０ｍｍの流路長さを備えている。
【００１７】
本実施形態では、容器本体１１は、例えば高分子化合物等の合成樹脂からなるブロー成形品であって、スクイズ変形可能なボトル形状を有している。容器本体１１は、図１に示すように、胴部１３と、口首部１２と、底部２３とからなり、底部２３を載置面に載置することで、立設させた状態で店頭に陳列したり、家庭内で保管したりすることができるようになっている。容器本体１１の胴部１３は、例えば長軸及び短軸を有する扁平な略楕円又は略長円の中空断面形状を有している。容器本体１１の胴部１３は、底部２３とは反対側の上端部分において、その中心位置を胴部１３の縦方向中心軸Ｃから長軸の一方の端部側に偏心させつつ、その中空断面形状を徐々に縮径させた、先絞りの形状の首部１３ｂを有している。また容器本体１１は、例えば洋式便器５０の開口周縁部の内側張出し段差部５１に向けて斜め下方からトイレ掃除用の液体洗剤を吐出させ易い形状として、いわゆる首曲がりボトル形状を備えている。
【００１８】
すなわち、本実施形態では、容器本体１１は、図１に示すように、首部１３ｂの先端に連続する口首部１２を、胴部１３の縦方向中心軸Ｃに対して側方に偏心させた位置から、この偏心させた方向とは反対側に傾けて突出させた、首曲がりボトル形状を備えている。また、本実施形態では、容器本体１１は、上端部分の先絞り部となっている首部１３ｂにおいて、当該首部１３ｂを偏心させた一方の端部側の側面を、縦方向の断面が外側に凸の滑らかな湾曲面となった、湾曲凸面１３ｃを介して口首部１２の基端部に接合させた形状を備えていると共に、他方の端部側の側面を、縦方向の断面が内側に凹の滑らかな湾曲面となった、湾曲凹面１３ｄを介して口首部１２の基端部に接合させた形状を備えている。これによって、容器本体１１は、斜めに傾いて突出する口首部１２が下方に配置されるように当該容器本体１１を傾倒させた際に、容器本体１１に収容された内容液を、先絞り部となっている首部１３ｂの湾曲凸面１３ｃの稜線部１３ｅの内側面を介して滑らかに且つスムーズに流下させると共に、ノズルキャップ１４が取り付けられた口首部１２に向けて、勢い良く送り出すことができるようになっている。
【００１９】
本実施形態では、ノズルキャップ１４は、例えば高分子化合物等の合成樹脂からなる射出成形品であって、図２及び図３に示すように、円環状嵌込み係合部１８と、該円環状嵌込み係合部１８の内側壁部１８ａの下方に形成された液溜め凹部１９と、該液溜め凹部１９の底面壁部１９ａの中央部分から一体として立設して設けられたノズル部１５とからなる。
【００２０】
円環状嵌込み係合部１８は、内側壁部１８ａと天面壁部１８ｂと外側壁部１８ｃとからなる略コの字断面形状を備えている。外側壁部１８ａの下端部内周面には、係合凸リブ１８ｄが設けられている。この係合凸リブ１８ｄを、容器本体１１の口首部１２の先端部外周面に設けられた被係合凸リブ１２ａに係合することによって、口首部１２の先端部を内側壁部１８ａと天面壁部１８ｂとの間に挟み込むと共に、口首部１２の先端面を天面壁部１８ｂの下面に当接させた状態で、ノズルキャップ１４が、容器本体１１の口首部１２に装着固定される。
【００２１】
液溜め凹部１９は、円環状嵌込み係合部１８の内側壁部１８ａの下方に連設する内筒壁部１９ｂと、内筒壁部１９ｂの下端部に連設する底面壁部１９ａとによって周囲を囲まれることで形成されている。液溜め凹部１９には、例えば容器本体１１を傾倒させると共にスクイズ変形させて、内容液をノズル部１５の先端吐出口１５ａから所定量吐出させた後に、押圧を開放して正立状態に戻した際に、ノズル部１５の外周面を伝って下方に液垂れした内容液が液溜めされる。これによって、ノズル部１５の外周面を伝って液垂れした内容液が、口首部１２の外周面に付着するのを効果的に回避することが可能になる。また液溜め凹部１９の底面壁部１９ａに支持されて、ノズル部１５が、内筒壁部１９ｂから離間した状態で立設している。
【００２２】
ノズル部１５は、内側に吐出ガイド流路１６が形成された、縦長中空の円筒形状部分である。本実施形態では、ノズル部１５は、液溜め凹部１９の底面壁部１９ａの中央部分から立設して、口首部１２の先端開口面から相当程度の高さで突出した状態で設けられると共に、下端部分を底面壁部１９ａの下方まで延設させて、底面壁部１９ａを貫通させた状態で設けられている。これによって、ノズル部１５の吐出ガイド流路１６は、後端流入口１６ｄを、容器本体１１の内側領域である、口首部１２の内側領域に配置した状態で設けられる。またノズルキャップ１４は、容器本体１１の口首部１２に装着固定された状態では、これのノズル部１５の吐出ガイド流路１６の軸方向が、容器本体１１の口首部１２の軸方向と一致又は略一致するように容器本体１１の口首部１２に取り付けられる。
【００２３】
ノズル部１５の吐出ガイド流路１６の後端流入口１６ｂが容器本体１１（口首部１２）の内側領域に配置されていることにより、ノズル部１５の後端流入口１６ｂにかかる内容液の圧力を低下させて液飛びが発生するのを防ぐことが可能になる。
【００２４】
また、本実施形態では、ノズルキャップ１４のノズル部１５は、１７〜６０ｍｍの長さを備える。これによってノズル部１５を縦方向に貫通して形成された吐出ガイド流路１６もまた、１７〜６０ｍｍの流路長さを備えると共に、吐出ガイド流路１６は、液溜め凹部１９の底面壁部１９ａから上方に立設するノズル部１５の上方立設部分１５ｃに形成された、２〜１０ｍｍ程度の長さの大径ガイド流路部１７ｃと、液溜め凹部１９の底面壁部１９ａから下方に延設するノズル部１５の下方延設部分１５ｂに形成された、１〜９ｍｍ程度の長さの小径ガイド流路部１７ｂとによって構成される。すなわち、吐出ガイド流路１６は、例えばノズル部１５の軸方向と垂直又は略垂直な面となっている、接続段差部１７ａを介して連続する、容器本体１１側の、１〜１０ｍｍの内径として例えば１〜９ｍｍ程度の内径を有する小径ガイド流路部１７ｂと、先端吐出口１５ａ側の、１〜１０ｍｍの内径として例えば２〜１０ｍｍ程度の内径を有する大径ガイド流路部１７ｃとからなる。
【００２５】
小径ガイド流路部１７ｂと大径ガイド流路部１７ｃとからなる吐出ガイド流路１６の全体が１〜１０ｍｍの内径を有していることにより、容器本体１１を傾倒させると共に胴部１３を押圧して、内容液をノズル部１５の先端吐出口１５ａから吐出させる際に、相当の長さの吐出ガイド流路１６を通過させてから内容液を吐出させることにより、吐出方向を吐出ガイド流路１６の延長方向に方向付けさせながら、内容液を安定した状態で線状に連続吐出させることが可能になる。
【００２６】
ここで、本実施形態では、小径ガイド流路部１７ｂの内径と、大径ガイド流路部１７ｃの内径との差である、接続段差部１７ａの幅ｂの２倍は、１〜９ｍｍとなっていることが好ましい。小径ガイド流路部１７ｂの内径と、大径ガイド流路部１７ｃの内径との差が、１〜９ｍｍとなっていることにより、ノズル部１５の小径ガイド流路部１７ｂに発生した泡膜を、内容液をノズル部１５から吐出させる際に、接続段差部１７ａを通過させることで効果的に破泡することが可能になる。また容器本体１１が首曲がりボトル形状を備えていて、胴部１３を積極的に押圧していないスクイズ前の状態で、容器を傾けた際に湾曲状の稜線部１３ｅに沿って内容液がノズル部１５に向って勢い良く流下しても、この内容液の勢いを、接続段差部１７ａで内径が拡大していることで低減して、ノズル部１５からの液飛びを効果的に防ぐことが可能になる。
【００２７】
また、本実施形態では、大径ガイド流路部１７ｃの内周面は、容器本体１１側からノズル部１５の先端吐出口１５ａ側に向けて流路の断面積を拡大させた、吐出ガイド流路１６の軸方向に対するテーパー角度が０．５〜５°程度の、緩い角度のテーパー形状部分となっている。大径ガイド流路部１７ｃの内周面が先端吐出口１５ａ側に向けて断面積を拡大させるテーパー形状部分となっていることにより、容器本体１１が首曲がりボトル形状を備えていて、胴部１３を積極的に押圧していないスクイズ前の状態で、容器を傾けた際に湾曲状の稜線部１３ｅに沿って内容液がノズル部１５に向って勢い良く流下しても、容器を傾けた際のノズル部１５からの液飛びを効果的に防ぐことが可能になる。
【００２８】
さらに、本実施形態では、小径ガイド流路部１７ｂの内周面を、容器本体１１側からノズル部１５の先端吐出口１５ａ側に向けて流路の断面積を拡大させた、吐出ガイド流路１６の軸方向に対するテーパー角度が０．５〜５°程度の、緩い角度のテーパー形状部分とすることもできる。小径ガイド流路部１７ｂの内周面をテーパー形状部分とすることにより、容器本体１１が首曲がりボトル形状を備えていて、胴部１３を積極的に押圧していないスクイズ前の状態で、容器を傾けた際に湾曲状の稜線部１３ｅに沿って内容液がノズル部１５に向って勢い良く流下しても、容器を傾けた際のノズル部１５からの液飛びを効果的に防ぐことが可能になる。
【００２９】
なお、本実施形態では、例えば図５（ａ）、（ｂ）に示すように、接続段差部１７ａは、吐出ガイド流路１６の軸方向の高さｈが、１〜４ｍｍの範囲で、平面形状又は曲面形状に斜めに形成されていても良い。接続段差部１７ａの吐出ガイド流路１６の軸方向の高さｈが、１〜４ｍｍの範囲となっていることにより、ノズル部１５の小径ガイド流路部１７ｂ内に発生した泡膜を、内容液をノズル部１５から吐出させる際に、接続段差部１７ａを通過させることで効果的に破泡することが可能になる。また容器本体１１が首曲がりボトル形状を備えていて、胴部１３を積極的に押圧していないスクイズ前の状態で、容器を傾けた際に湾曲状の稜線部１３ｅに沿って内容液がノズル部１５に向って勢い良く流下しても、この内容液の勢いを、接続段差部１７ａで内径が拡大していることで低減して、ノズル部１５からの液飛びを効果的に防ぐことが可能になる。
【００３０】
また、本実施形態では、図２に示すように、ノズルキャップ付き容器１０を使用していない時に、ノズルキャップ１４のノズル部１５を覆って着脱可能に装着される、蓋キャップ２０が設けられている。蓋キャップ２０は、略切頭円錐形状の蓋本体部２１と、蓋本体部２１の下端部から連続して下方に延設する、略円筒形状の装着スカート部２２とからなる。蓋キャップ２０は、例えば装着スカート部２２の内側面に設けられた螺合突条２２ａを、容器本体１１の口首部１２の外周面に設けられた螺合突条１２ｃに螺着することで、蓋本体部２１の天面部内側面によってノズル部１５の先端吐出口１５ａを閉塞した状態で、容器本体１１の口首部１２を覆って取り付けられる。また、蓋本体部２１の天面部内側面から下方に突出して、インナーリング部２１ａが設けられている。容器本体１１の口首部１２を覆って蓋キャップ２０が取り付けられた際に、インナーリング部２１ａが、ノズル部１５の先端吐出口１５ａの内周縁部に沿って嵌め込まれることで、強固に止水した状態で先端吐出口１５ａを閉塞することが可能になる。さらに、蓋本体部２１の中間部内側面から下方に突出して、当接リング部２１ｂが設けられている。容器本体１１の口首部１２を覆って蓋キャップ２０が取り付けられた際に、当接リング部２１ｂの先端は、ノズルキャップ１４の円環状嵌込み係合部１８の天面壁部１８ｂを挟んで口首部１２の先端面に当接する。これによって、装着スカート部２０が口首部１２に過度に螺着されて、インナーリング部２１ａや、ノズル部１５の先端部が破損するのを、効果的に回避することが可能になる。
【００３１】
さらに、本実施形態では、内容液として容器本体１１に収用されたトイレ掃除用の液体洗剤は、界面活性剤を含んでおり、粘度が１〜５００ｍＰａ・ｓとなっていることにより、泡立ちやすい物性を備えている。
【００３２】
そして、上述の構成を備える本実施形態のノズルキャップ付き容器１０によれば、胴部１３を押圧することで内容液を吐出させる容器本体１１の口首部１２に取り付けられた、ノズルキャップ１４のノズル部１５の先端吐出口１５ａから、小さな押圧力や小さな衝撃によって、内容液が泡として飛び出すのを効果的に回避することが可能になると共に、容器本体１１が首曲がりボトル形状を備えている場合でも、ノズルキャップ１４のノズル部１５の先端吐出口１５ａから、胴部１３を積極的に押圧していないスクイズ前の状態で、内容液が、不用意に且つ勢い良く吐出するのを効果的に抑制することが可能になる。
【００３３】
すなわち、本実施形態によれば、ノズル部１５の内部に形成されて、胴部１３を押圧した際に内容液を案内して先端吐出口１５ａから線状に連続吐出させる吐出ガイド流路１６は、接続段差部１７ａを介して連続する、容器本体１１側の小径ガイド流路部１７ｂと、先端吐出口１５ａ側の大径ガイド流路部１７ｃとからなる２段構造を備えている。したがって、本実施形態のノズルキャップ付き容器１０によれば、例えば容器１０の使用時に容器本体１１の押圧を解除した際のバックサンクションによって容器本体１１の内部で内容液が泡立っている場合に、例えば容器本体１１を床面等に置く時の小さな衝撃や（図４（ａ）参照）、容器本体１１を把持し直す時の小さな押圧力によって（図４（ｂ）参照）、泡立った内容液が、小径ガイド流路部１７ｂに押し出されて膜を形成しても、形成された膜は、接続段差部１７ａを通過する際に吐出ガイド流路１６の内径が急激に拡大することで、容易に破泡されることになる。これによって、容器本体１１を置いたり把持したりする際の小さな衝撃や押圧力によって、内容液が、ノズル部１５の先端吐出口１５ａから泡として飛び出して、周囲のものを汚すことになるのを、効果的に回避することが可能になる。
【００３４】
特に、本実施形態では、容器本体１１が、例えば洋式便器５０の開口周縁部の内側張出し段差部５１に向けて、斜め下方から洗剤を吐出させ易い形状として、いわゆる首曲がりボトル形状を備えるスクイズ容器となっており、斜めに傾いて突出する口首部１２が下方に配置されるように当該容器本体１１を傾倒させた際に、容器本体１１に収容された内容液が、先絞り部１３ｂの湾曲凸面１３ｃの内側面を介して滑らかに且つスムーズに流下して、口首部１２に向けて、勢い良く送り出されるようになっている。また、容器本体１１は、首部１３ｂを胴部１３の縦方向中心軸Ｃに対して片側に傾けて突出させた、首曲がりボトル形状を備えており、底部１７から首部１３ｂにかけて湾曲状の稜線部１３ｅを形成するようになっており、且つ胴部１３の縦方向中心軸Ｃに対して、首曲がり側、もしくは反首曲がり側を把持して使用することでボトル内の内容液が、湾曲状の稜線部１３ｅの形状に沿って流動することによりノズル部１５に勢いを持って接触するようになっている（図４（ａ）、（ｂ））。しかしながら、本実施形態によれば、ノズル部１５の内部に形成された吐出ガイド流路１６が、接続段差部１７ａを介して接続する小径ガイド流路部１７ｂの大径ガイド流路部１７ｃとからなる、上述のような２段構造を備えているので、容器本体１１を傾倒させながらノズルキャップ１４のノズル部１５の先端吐出口１５ａを、洋式便器５０の内側張出し段差差部５１に向けてゆく操作の途中で、内容液が、不用意に且つ勢い良く先端吐出口１５ａから吐出して、洋式便器５０の外側に飛び出すのを効果的に回避することが可能になる。
【００３５】
なお、本発明は上記実施形態に限定されることなく種々の変更が可能である。例えば、吐出ガイド流路の小径ガイド流路部や大径ガイド流路部は、円形の断面形状を有していなくても良く、楕円や矩形の断面形状を有していても良い。小径ガイド流路部の中心軸と大径ガイド流路部の中心軸とを合致させることなく、これらを偏心させた状態で形成することもでき、接続段差部は、周方向に幅を変化させた状態で設けられていても良い。また、容器本体は、首曲がりボトル形状を備えている必要は必ずしもない。容器本体に収容される内容液は、トイレ掃除用の液体洗剤の他、その他の液体洗剤や食用の液体等の、種々の泡立ちする内容液であっても良い。
【符号の説明】
【００３６】
１０  ノズルキャップ付き容器
１１  容器本体
１２  口首部
１３  胴部
１３ａ  正面壁部
１３ｂ  首部（先絞り部）
１３ｃ  湾曲凸面
１３ｄ  湾曲凹面
１３ｅ  湾曲状の稜線部
１４  ノズルキャップ
１５  ノズル部
１５ａ  先端吐出口
１６  吐出ガイド流路
１７ａ  接続段差部
１７ｂ  小径ガイド流路部
１７ｃ  大径ガイド流路部
１８  円環状嵌込み係合部
１９  液溜め凹部
２０  蓋キャップ
Ｃ    縦方向中心軸
【図１】
2013180762.tif 000003
【図２】
2013180762.tif 000004
【図３】
2013180762.tif 000005
【図４】
2013180762.tif 000006
【図５】
2013180762.tif 000007